(57)【要約】【課題】  複数の受信系統から受信した信号を合成する際に、同一信号で位相が互いに逆転した信号を合成することなく、同相の信号を合成することを可能とし、かつ合成後のＳＮ比の悪化を回避し、システムとしての受信利得を稼ぐことを可能とする。【解決手段】  無線回線を介して無線通信を行う送信局および受信局により構成される無線通信システムにおいて、前記受信局は、複数の受信アンテナと、各受信アンテナ毎に個別に受信処理を行う無線部と、各受信系統毎にアナログ信号からディジタル信号に変換するＡ／Ｄ変換回路と、各受信系統毎の該Ａ／Ｄ変換回路からの出力信号を所定の時間だけ遅延させる１つまたは複数の遅延回路と、前記Ａ／Ｄ変換回路および該遅延回路からの出力信号を合成した信号を生成する複数系統信号合成回路とを有する。【選択図】    図１
2006352576.tif 000002
【特許請求の範囲】
【請求項１】
無線回線を介して無線通信を行う送信局および受信局により構成される無線通信システムにおいて、
前記受信局は、
複数の受信アンテナと、
各受信アンテナ毎に個別に受信処理を行う無線部と、
各受信系統毎にアナログ信号からディジタル信号に変換するＡ／Ｄ変換回路と、
各受信系統毎の該Ａ／Ｄ変換回路からの出力信号を所定の時間だけ遅延させる１つまたは複数の遅延回路と、
前記Ａ／Ｄ変換回路および該遅延回路からの出力信号を合成した信号を生成する複数系統信号合成回路と、
を有することを特徴とする無線通信システム。
【請求項２】
無線回線を介して無線通信を行う送信局および受信局により構成される無線通信システムにおいて、
前記受信局は、
複数の受信アンテナと、
各受信アンテナ毎に個別に受信処理を行う無線部と、
無線部からの出力信号に対し信号強度が所定の範囲になるように利得の調整を行う自動利得制御回路と、
各受信系統毎にアナログ信号からディジタル信号に変換するＡ／Ｄ変換回路と、
各Ａ／Ｄ変換回路からの出力に対して各自動利得制御回路で行う利得量に相当する量を相殺するオフセットを付加するオフセット付加回路と、
前記Ａ／Ｄ変換回路およびまたは該オフセット付加回路からの出力信号を合成した信号を生成する複数系統信号合成回路と、
を有することを特徴とする無線通信システム。
【請求項３】
無線回線を介して無線通信を行う送信局および受信局により構成される無線通信システムにおいて、
前記受信局は、
複数の受信アンテナと、
各受信アンテナ毎に個別に受信処理を行う無線部と、
無線部からの出力信号に対し信号強度が所定の範囲になるように利得の調整を行う自動利得制御回路と、
各受信系統毎にアナログ信号からディジタル信号に変換するＡ／Ｄ変換回路と、
各Ａ／Ｄ変換回路からの出力に対して各自動利得制御回路で行う利得量に相当する量を相殺するオフセットを付加するオフセット付加回路と、
各受信系統毎の該Ａ／Ｄ変換回路からの出力信号を所定の時間だけ遅延させる１つまたは複数の遅延回路と、
前記Ａ／Ｄ変換回路およびまたは前記オフセット付加回路およびまたは該遅延回路からの出力信号を合成した信号を生成する複数系統信号合成回路と、
を有することを特徴とする無線通信システム。
【請求項４】
無線回線を介して無線通信を行う送信局および受信局により構成される無線通信システムにおいて、ＯＦＤＭ変調方式を用いたことを特徴とする請求項１乃至３のいずれかに記載の無線通信システム。
【請求項５】
無線回線を介してＭＩＭＯ通信またはＳＩＳＯ通信を行う送信局および受信局により構成される無線通信システムにおいて、
前記受信局は、
ＭＩＭＯ通信における各受信系統の信号として、前記複数系統信号合成回路からの出力信号を利用することを特徴とする請求項１乃至４のいずれかに記載の無線通信システム。
【請求項６】
無線回線を介して無線通信を行う送信局および受信局により構成される無線通信システムの受信局において、
前記受信局は、
複数の受信アンテナと、
各受信アンテナ毎に個別に受信処理を行う無線部と、
各受信系統毎にアナログ信号からディジタル信号に変換するＡ／Ｄ変換回路と、
各受信系統毎の該Ａ／Ｄ変換回路からの出力信号を所定の時間だけ遅延させる１つまたは複数の遅延回路と、
前記Ａ／Ｄ変換回路および該遅延回路からの出力信号を合成した信号を生成する複数系統信号合成回路と、
を有することを特徴とする無線通信システムの受信局。
【請求項７】
無線回線を介して無線通信を行う送信局および受信局により構成される無線通信システムの受信局において、
前記受信局は、
複数の受信アンテナと、
各受信アンテナ毎に個別に受信処理を行う無線部と、
無線部からの出力信号に対し信号強度が所定の範囲になるように利得の調整を行う自動利得制御回路と、
各受信系統毎にアナログ信号からディジタル信号に変換するＡ／Ｄ変換回路と、
各Ａ／Ｄ変換回路からの出力に対して各自動利得制御回路で行う利得量に相当する量を相殺するオフセットを付加するオフセット付加回路と、
前記Ａ／Ｄ変換回路およびまたは該オフセット付加回路からの出力信号を合成した信号を生成する複数系統信号合成回路と、
を有することを特徴とする無線通信システムの受信局。
【請求項８】
無線回線を介して無線通信を行う送信局および受信局により構成される無線通信システムの受信局において、
前記受信局は、
複数の受信アンテナと、
各受信アンテナ毎に個別に受信処理を行う無線部と、
無線部からの出力信号に対し信号強度が所定の範囲になるように利得の調整を行う自動利得制御回路と、
各受信系統毎にアナログ信号からディジタル信号に変換するＡ／Ｄ変換回路と、
各Ａ／Ｄ変換回路からの出力に対して各自動利得制御回路で行う利得量に相当する量を相殺するオフセットを付加するオフセット付加回路と、
各受信系統毎の該Ａ／Ｄ変換回路からの出力信号を所定の時間だけ遅延させる１つまたは複数の遅延回路と、
前記Ａ／Ｄ変換回路およびまたは前記オフセット付加回路およびまたは該遅延回路からの出力信号を合成した信号を生成する複数系統信号合成回路と、
を有することを特徴とする無線通信システムの受信局。
【請求項９】
無線回線を介して無線通信を行う送信局および受信局により構成される無線通信システムの受信局において、ＯＦＤＭ変調方式を用いたことを特徴とする前記請求項６乃至８のいずれかに記載の無線通信システムの受信局。
【請求項１０】
無線回線を介してＭＩＭＯ通信またはＳＩＳＯ通信を行う送信局および受信局により構成される無線通信システムの受信局において、
前記受信局は、
ＭＩＭＯ通信における各受信系統の信号として、前記複数系統信号合成回路からの出力信号を利用することを特徴とする前記請求項６乃至９のいずれかに記載の無線通信システムの受信局。
【発明の詳細な説明】
【技術分野】
【０００１】
本発明は、無線回線を介して無線通信を行う送信局および受信局により構成される無線通信システム及びその受信局に関する。
【背景技術】
【０００２】
近年、2.4GHz帯または5GHz帯を用いた高速無線アクセスシステムとしえて、IEEE802.11g規格、IEEE802.11a規格などの普及が目覚しい。これらのシステムでは、最大で５４Mbpsの伝送速度を実現しているが、無線LANの普及に伴い、更なる高機能化が求められている。
特に最近注目を集めている技術として、ＭＩＭＯ（Multiple -Input Multiple -Output）通信技術があげられる。このＭＩＭＯ通信技術とは、送信局側において複数の送信アンテナから同一チャネル上で異なる独立な信号を送信し、受信局側において同じく複数のアンテナを用いて信号を受信し、送受信局のアンテナ間で複数の信号伝送のパスを形成し、これを積極的に利用とするものである。
【０００３】
このＭＩＭＯ通信の利用法としては、空間上で独立した信号系列を同一周波数において多重化し、その結果として伝送速度を向上させるSDM（Space Division Multiplexing）技術と、複数の送信アンテナから送信した信号に所定の符号化を行い、送信ダイバーシチ利得を稼ぐというＳＴＢＣ（Space Time Block Coding：時空間符号化）技術のふたつの利用方法がある。
一方、この高速無線アクセスシステムをホットスポットエリアで利用するサービスにおいては、ひとつの基地局のカバーするサービスエリアを広くするための技術が、伝送速度の高速化と共に、ユーザへのサービス性向上に関するひとつの課題となっている。
【０００４】
前述のＳＴＢＣは、シンボルタイミングやチャネルの状態が既知の場合には有効であるが、サービスエリアの端の方の様に受信信号強度が著しく低い場合には有効ではない。その他の対策技術としては、例えば受信側で冗長系のアンテナを持ち、それぞれを最大比合成することで受信利得を稼ぐ受信ダイバーシチは広く一般に用いられている。このように複数の受信系統の受信信号を合成するのには各受信系統の受信信号の位相情報を操作して合成することが好ましい。これは受信アダプティブアレイアンテナの制御に相当する（非特許文献１参照）。
【０００５】
受信アダプティブアレイアンテナにおいて信号を合成するのには、受信タイミングでどの方向から信号が飛んでくるかが事前に情報として必要になるが、パケットベースでの通信（ＴＤＭＡのようにタイムスロットが事前に切られていない通信）の場合には、このような情報を設定することは不可能である。
また、ＯＦＤＭ変調方式を使用して通信を行う場合には、サブキャリア毎に指向性が異なるため、仮に事前にどの方向から信号が飛んでくるかが判ったとしても、ＯＦＤＭ変調方式との組み合せでは効果が得られにくいという問題が有る。
【非特許文献１】IDC  情報通信シリーズ、服部他編著、「ワイヤレスブロードバンド教科書」、ｐ116“受信アダプティブ・アレイ・アンテナの制御の仕組み”
【発明の開示】
【発明が解決しようとする課題】
【０００６】
一方、受信側で冗長系のアンテナを持ち、複数の受信系統で受信した信号を合成する場合において、特にＯＦＤＭ変調方式を用いた場合には、ＦＦＴ処理によりチャネル推定した後、冗長系の受信系統の位相差をキャンセルし、同相での合成を行うことになる。つまり、ベースバンド処理の一部分までを個別に行い、ベースバンド処理の途中から複数系統を1系統に集約する処理となっている。
【０００７】
ここで、求められる冗長化の程度は利用条件で異なり、必ずしも全てのユーザが冗長系を求めている訳ではない。ベースバンド処理を行うＬＳＩチップを、利用条件毎に個別に開発することはコスト的に採算が取れず、理想的には単一のベースバンド処理用のＬＳＩチップを共用し、利用するユーザが必要に応じてＬＳＩの外部にオプションの追加として拡張しながら使い分けが図れるのが好ましい。
また、ＯＦＤＭのシンボルタイミングの検出における検出精度の向上のためには、シンボルタイミングが既知であることが前提の最大比合成による受信ダイバーシチは無力であり、別の改善手段が求められる。
【０００８】
そこで、受信系統のうち受信アンテナ〜無線部〜Ａ／Ｄ変換までの系を冗長にし、その冗長な系を加算により合成し、信号強度を高めることにする。ただし、この際に単純に加算したのでは次の問題点が残る。
（１）合成する受信アンテナのアンテナ相関が大きいと、同一の信号で且つ位相が逆転した2つの受信信号を合成する危険がある。
（２）通常、無線信号をＡ／Ｄ変換する前には、利得の調整を行うＡＧＣ（Automatic Gain Control）処理を行うのが一般的である。ここでは、受信信号と共に該受信信号ノイズも増幅することになり、複数系統の受信レベルに大きな差があると、それぞれのＳＮ比特性は異なるものになってしまう。この異なるＳＮ比特性の信号を加算すると、合成後の信号のＳＮ比特性は悪い方の特性に引きずられてしまう。
【０００９】
本発明は、このような事情に鑑みてなされたものであり、複数の受信系統から受信した信号を合成する際に、同一信号で位相が互いに逆転した信号を合成することなく、同相の信号を合成することを可能とし、かつ合成後のＳＮ比の悪化を回避し、システムとしての受信利得を稼ぐことが可能な無線通信システム及びその受信局を提供することを目的とする。
【課題を解決するための手段】
【００１０】
本発明では、既述した解決課題（１）に対しては、複数の受信アンテナのＡ／Ｄ変換後の信号を加算する前に、異なる遅延量を付加することで対処する。ＯＦＤＭ変調方式を用いる場合、所定の遅延に対し、各サブキャリア毎の位相の回転量は異なるため、特定のサブキャリアにおいて逆相合成がなされても、他のサブキャリアでは同相合成になり、全体としての特性は解決課題（１）のリスクを回避するものとなる。これは、ＯＦＤＭ変調方式自体がもつ、マルチパスによる遅延波に対する耐性が強いことをうまく利用するものである。
また、解決課題（２）については、Ａ／Ｄ変換後のディジタル信号に対し、ＡＧＣにおいての利得を逆にフィードバックし、利得量に相当するオフセットをＡ／Ｄ変換後の値につける（係数を乗算ないし除算する）ことで対処する。以上により、システムとしての受信利得を稼ぐことが可能となる。
【００１１】
すなわち、上記目的を達成するために請求項１に記載の発明は、無線回線を介して無線通信を行う送信局および受信局により構成される無線通信システムにおいて、前記受信局は、複数の受信アンテナと、各受信アンテナ毎に個別に受信処理を行う無線部と、各受信系統毎にアナログ信号からディジタル信号に変換するＡ／Ｄ変換回路と、各受信系統毎の該Ａ／Ｄ変換回路からの出力信号を所定の時間だけ遅延させる１つまたは複数の遅延回路と、前記Ａ／Ｄ変換回路および該遅延回路からの出力信号を合成した信号を生成する複数系統信号合成回路とを有することを特徴とする。
【００１２】
また、請求項２に記載の発明は、無線回線を介して無線通信を行う送信局および受信局により構成される無線通信システムにおいて、前記受信局は、複数の受信アンテナと、各受信アンテナ毎に個別に受信処理を行う無線部と、無線部からの出力信号に対し信号強度が所定の範囲になるように利得の調整を行う自動利得制御回路と、各受信系統毎にアナログ信号からディジタル信号に変換するＡ／Ｄ変換回路と、各Ａ／Ｄ変換回路からの出力に対して各自動利得制御回路で行う利得量に相当する量を相殺するオフセットを付加するオフセット付加回路と、前記Ａ／Ｄ変換回路およびまたは該オフセット付加回路からの出力信号を合成した信号を生成する複数系統信号合成回路とを有することを特徴とする。
【００１３】
また、請求項３に記載の発明は、無線回線を介して無線通信を行う送信局および受信局により構成される無線通信システムにおいて、前記受信局は、複数の受信アンテナと、各受信アンテナ毎に個別に受信処理を行う無線部と、無線部からの出力信号に対し信号強度が所定の範囲になるように利得の調整を行う自動利得制御回路と、各受信系統毎にアナログ信号からディジタル信号に変換するＡ／Ｄ変換回路と、各Ａ／Ｄ変換回路からの出力に対して各自動利得制御回路で行う利得量に相当する量を相殺するオフセットを付加するオフセット付加回路と、各受信系統毎の該A/D変換回路からの出力信号を所定の時間だけ遅延させる１つまたは複数の遅延回路と、前記Ａ／Ｄ変換回路およびまたは前記オフセット付加回路およびまたは該遅延回路からの出力信号を合成した信号を生成する複数系統信号合成回路とを有することを特徴とする。
【００１４】
また、請求項４に記載の発明は、請求項１乃至３のいずれかに記載の無線通信システムにおいて、ＯＦＤＭ変調方式を用いたことを特徴とする。
【００１５】
また、請求項５に記載の発明は、請求項１乃至４のいずれかに記載の無線通信システムにおいて、無線回線を介してＭＩＭＯ（Multiple -Input Multiple -Output）通信またはＳＩＳＯ通信を行う送信局および受信局により構成される無線通信システムにおいて、前記受信局は、ＭＩＭＯ通信における各受信系統の信号として、前記複数系統信号合成回路からの出力信号を利用することを特徴とする。
【００１６】
また、請求項６に記載の発明は、無線回線を介して無線通信を行う送信局および受信局により構成される無線通信システムの受信局において、前記受信局は、複数の受信アンテナと、各受信アンテナ毎に個別に受信処理を行う無線部と、各受信系統毎にアナログ信号からディジタル信号に変換するＡ／Ｄ変換回路と、各受信系統毎の該Ａ／Ｄ変換回路からの出力信号を所定の時間だけ遅延させる１つまたは複数の遅延回路と、前記Ａ／Ｄ変換回路および該遅延回路からの出力信号を合成した信号を生成する複数系統信号合成回路とを有することを特徴とする。
【００１７】
また、請求項７に記載の発明は、無線回線を介して無線通信を行う送信局および受信局により構成される無線通信システムの受信局において、前記受信局は、複数の受信アンテナと、各受信アンテナ毎に個別に受信処理を行う無線部と、無線部からの出力信号に対し信号強度が所定の範囲になるように利得の調整を行う自動利得制御回路と、各受信系統毎にアナログ信号からディジタル信号に変換するＡ／Ｄ変換回路と、各Ａ／Ｄ変換回路からの出力に対して各自動利得制御回路で行う利得量に相当する量を相殺するオフセットを付加するオフセット付加回路と、前記Ａ／Ｄ変換回路およびまたは該オフセット付加回路からの出力信号を合成した信号を生成する複数系統信号合成回路とを有することを特徴とする。
【００１８】
また、請求項８に記載の発明は、無線回線を介して無線通信を行う送信局および受信局により構成される無線通信システムの受信局において、前記受信局は、複数の受信アンテナと、各受信アンテナ毎に個別に受信処理を行う無線部と、無線部からの出力信号に対し信号強度が所定の範囲になるように利得の調整を行う自動利得制御回路と、各受信系統毎にアナログ信号からディジタル信号に変換するＡ／Ｄ変換回路と、各Ａ／Ｄ変換回路からの出力に対して各自動利得制御回路で行う利得量に相当する量を相殺するオフセットを付加するオフセット付加回路と、各受信系統毎の該Ａ／Ｄ変換回路からの出力信号を所定の時間だけ遅延させる１つまたは複数の遅延回路と、前記Ａ／Ｄ変換回路およびまたは前記オフセット付加回路およびまたは該遅延回路からの出力信号を合成した信号を生成する複数系統信号合成回路とを有することを特徴とする。
【００１９】
また、請求項９に記載の発明は、請求項６乃至８のいずれかに記載の無線通信システムの受信局において、ＯＦＤＭ変調方式を用いたことを特徴とする。
【００２０】
また、請求項１０に記載の発明は、請求項６乃至９のいずれかに記載の無線通信システムの受信局において、前記受信局は、ＭＩＭＯ通信における各受信系統の信号として、前記複数系統信号合成回路からの出力信号を利用することを特徴とする。
【発明の効果】
【００２１】
以上説明したように、本発明によれば、複数の受信系統のうち受信アンテナからＡ／Ｄ変換回路に至る系を複数系統設け、該複数系統の出力を合成してベースバンド部を共用するように構成するとともに、Ａ／Ｄ変換回路出力に異なる遅延量を付加するようにしたので、システム全体として複数の受信系統から受信した信号を合成する際に、同一信号で位相が互いに逆転した信号を合成するリスクを低減し、効率的に信号を合成することが可能となる。
【００２２】
また、本発明によれば、複数の受信系統のうち受信アンテナからＡ／Ｄ変換回路に至る系を複数系統設け、該複数系統の出力を合成してベースバンド部を共用するように構成するとともに、Ａ／Ｄ変換後のディジタル信号に対して、ＡＧＣによる利得をフィードバックし、ＡＧＣによる利得量に相当するオフセットをＡ／Ｄ変換後のディジタル信号の値に付加するようにしたので、複数の受信系統でSN比特性にばらつきがある場合でも、良好なSN比特性を示す受信系統の特性を最大限に活かしてシステムとしての受信利得を稼ぐことが可能となる。
【００２３】
また、本発明によれば、複数の受信系統のうち受信アンテナからＡ／Ｄ変換回路に至る系を複数系統設け、該複数系統の出力を合成してベースバンド部を共用するように構成するとともに、Ａ／Ｄ変換回路出力に異なる遅延量を付加し、かつＡ／Ｄ変換後のディジタル信号に対して、ＡＧＣによる利得をフィードバックし、ＡＧＣによる利得量に相当するオフセットをＡ／Ｄ変換後のディジタル信号の値に付加するようにしたので、システム全体として複数の受信系統から受信した信号を合成する際に、同一信号で位相が互いに逆転した信号を合成するリスクを低減し、効率的に信号を合成することができ、かつ複数の受信系統でSN比特性にばらつきがある場合でも、良好なSN比特性を示す受信系統の特性を最大限に活かしてシステムとしての受信利得を稼ぐことが可能となる。
【００２４】
さらに、本発明によれば、複数の受信系統のうち受信アンテナからＡ／Ｄ変換回路に至る系を複数系統設け、該複数系統の出力を合成してベースバンド部を共用するように構成するとともに、Ａ／Ｄ変換回路出力に異なる遅延量を付加し、かつＡ／Ｄ変換後のディジタル信号に対して、ＡＧＣによる利得をフィードバックし、ＡＧＣによる利得量に相当するオフセットをＡ／Ｄ変換後のディジタル信号の値に付加する構成を複数系統用意することにより、ＭＩＭＯ通信における無線受信装置の各受信系統に適用することが可能となる。
【発明を実施するための最良の形態】
【００２５】
以下、本発明の実施形態を、図面を参照して詳細に説明する。本発明の各実施形態に係る無線通信システムは、無線回線を介して無線通信を行う送信局および受信局により構成される無線通信システムである。本発明の第１実施形態に係る無線通信システムの構成を図１に示す。図１では、上記無線通信システムの受信局のみの構成を示している。
【００２６】
図１において、本発明の第１実施形態に係る無線通信システムの受信局は、複数の受信アンテナ１−１、２−１、３−１と、各受信アンテナ毎に個別に受信処理を行う無線部１−２、２−２、３−２と、各受信系統毎に受信信号であるアナログ信号からディジタル信号に変換するＡ／Ｄ変換回路１−３、２−３、３−３と、各受信系統毎の該Ａ／Ｄ変換回路からの出力信号を所定の時間だけ遅延させる遅延回路２−４、３−４と、前記Ａ／Ｄ変換回路および該遅延回路からの出力信号を合成した信号を生成する複数系統信号合成回路としての加算器４と、加算器４の出力信号からシンボルタイミングを検出するタイミング検出回路５と、タイミング検出回路５により検出されたシンボルタイミングに基づいて加算器4の出力のＦＦＴ演算処理を行うＦＦＴ処理部６とを有している。
【００２７】
加算器４の出力は、タイミング検出回路でシンボルタイミングを検出されるとともに、スルー状態でＦＦＴ処理部６に出力されるようになっている。
ＦＦＴ処理部の出力端は、図示してない復調回路の入力端に接続されている。
無線部１−２、２−２、３−２は、受信信号の初期増幅、及び無線周波数の信号の周波数変換等の処理を行う機能を有している。
本実施形態に係る無線通信システムでは、受信アンテナ１−１、２−１、３−１から加算器４に至るまでが複数の系で構成されている。
【００２８】
上記構成において、無線部１−２、２−２、３−２は各受信アンテナ１−１、２−１、３−１より受信した信号について個別に受信処理を行う。Ａ／Ｄ変換回路１−３、２−３、３−３は、それぞれ、各系毎に無線部１−２、２−２、３−２から入力された受信信号であるアナログ信号をディジタル信号に変換する。
Ａ／Ｄ変換回路１−３からの出力信号はそのまま加算器４に入力される。
また、Ａ／Ｄ変換回路２−３からの出力信号は、遅延Ｄ１付加回路２−４により遅延時間Ｄ１が付加された状態で加算器４に入力される。
さらに、Ａ／Ｄ変換回路３−４からの出力信号は、遅延Ｄ２付加回路３−４により遅延時間Ｄ２を付加された状態で加算器４に入力される。遅延量Ｄ１、Ｄ２は異なる値である。
【００２９】
このように、受信アンテナからＡ／Ｄ変換回路に至る複数の系の出力信号に対し異なる遅延量を付与した後に加算器４で合成し、タイミング検出回路５は加算器４の出力信号からシンボルタイミングを検出する。タイミング検出回路５からは、シンボルタイミングを示す検出信号及び加算器４の出力信号がＦＦＴ処理部６に出力される。
ＦＦＴ処理部６では、タイミング検出回路５により検出されたシンボルタイミングに基づいて加算器4の出力のＦＦＴ演算処理を行う。また、図示してない復調回路では、ＦＦＴ処理部６の演算出力に基づいてシンボル毎の復調処理を行う。
【００３０】
本発明の第１実施形態に係る無線通信システムによれば、複数の受信系統のうち受信アンテナからＡ／Ｄ変換回路に至る系を複数系統設け、該複数系統の出力を合成してベースバンド部を共用するように構成するとともに、Ａ／Ｄ変換回路出力に異なる遅延量を付加するようにしたので、システム全体として複数の受信系統から受信した信号を合成する際に、同一信号で位相が互いに逆転した信号を合成するリスクを低減し、効率的に信号を合成することが可能となり、システムとしての受信利得を稼ぐことが可能となる。
【００３１】
次に、本発明の第２実施形態に係る無線通信システムの構成を図２に示す。本発明の第２実施形態に係る無線通信システムが第１実施形態に係る無線通信システムと構成上、異なるのは、受信アンテナからＡ／Ｄ変換回路に至る各受信系において、無線部との間にＡＧＣ回路を、またＡ／Ｄ変換回路と加算器との間にオフセット付加回路をそれぞれ、設けた点であり、その他の構成は同一であり、同一の要素には同一の符号を付してある。
【００３２】
図２において、本発明の第２実施形態に係る無線通信システムの受信局は、複数の受信アンテナ１−１、２−１、３−１と、各受信アンテナ毎に個別に受信処理を行う無線部１−２、２−２、３−２と、無線部からの出力信号に対し信号強度が所定の範囲になるように利得の調整を行う自動利得制御（ＡＧＣ）回路１−５、２−５、３−５と、自動利得制御（ＡＧＣ）回路１−５、２−５、３−５からの出力信号に対しアナログ信号からディジタル信号に変換するＡ／Ｄ変換回路１−３、２−３、３−３と、各Ａ／Ｄ変換回路１−３、２−３、３−３からの出力に対して各自動利得制御回路１−５、２−５、３−５で行う利得量に相当する量を相殺するオフセットを付加するオフセット付加回路１−６、２−６、３−６と、オフセット付加回路付加回路１−６、２−６、３−６からの出力信号を合成した信号を生成する複数系統信号合成回路としての加算器４と、タイミング検出回路５と、ＦＦＴ処理部６とを有している。
【００３３】
上記構成において、無線部１−２、２−２、３−２は各受信アンテナ１−１、２−１、３−１より受信した信号について個別に受信処理を行い、その出力信号を自動利得制御（ＡＧＣ）回路１−５、２−５、３−５に出力する。
自動利得制御（ＡＧＣ）回路１−５、２−５、３−５では、無線部１−２、２−２、３−２からの出力信号に対し信号強度が所定の範囲になるように利得の調整を行い、その出力を各受信系統において対応するＡ／Ｄ変換回路１−３、２−３、３−３にそれぞれ、出力するとともに、自動利得制御における利得を示すデータを対応するオフセット付加回路１−６、２−６、３−６に出力する。
【００３４】
Ａ／Ｄ変換回路１−３、２−３、３−３では、それぞれ、各受信系統毎に無線部１−２、２−２、３−２から入力された受信信号であるアナログ信号をディジタル信号に変換し、その出力を対応するオフセット付加回路１−６、２−６、３−６に出力する。
オフセット付加回路１−６、２−６、３−６では、それぞれ、対応する各自動利得制御回路１−５、２−５、３−５から利得データを受け取り、利得制御を行う利得量に相当する量を相殺するオフセットを付加する。
【００３５】
各自動利得制御回路１−５、２−５、３−５では、所望の無線信号を増幅するだけでなく、受信時に付加されたノイズについても増幅を行っている。しかも、受信信号強度が低い受信系に対しては、より高い増幅率で信号を増幅するため、同時にノイズも大きく増幅されることになる。これらの影響を無視して各受信系統の信号を合成すると、ノイズも増幅後の値として加算されてしまうため、信号合成に伴う利得以上に、ノイズの増幅に伴う特性劣化が支配的になるリスクがある。そこで、各オフセット付加回路１−６、２−６、３−６では、見かけ上、各受信系統におけるノイズ量は、各自動利得制御回路１−５、２−５、３−５の影響を受けない状態で出力される様に、各自動利得制御回路１−５、２−５、３−５で増幅した量をオフセットによりキャンセルし、その後に合成処理を行う。
なお、ここでいうオフセットとは、例えば、次のような内容を意味する。
例えば、ある系統の自動利得制御回路にて、受信信号の信号強度を２倍にした場合、その系統のオフセット付加回路では、Ａ／Ｄ変換後の値を１／２に倍にすることでＡＧＣ制御前の信号強度に変換する。その他にも、例えば、２系統あるうちの１系統目の受信信号強度を２倍に、２系統目の受信信号強度を４倍にした場合には、本来は１系統目の信号強度には１／２倍を、２系統目の信号強度には１／４場合をオフセットとして与えるべきところ、両者に（所定の係数の一例として）係数２を掛け、１系統目の信号強度には１倍（オフセットなし）を、２系統目の信号強度には１／２倍をオフセットとして与えることも可能である。
また、もしこのオフセット値が１／２のべき乗倍であれば、２進表示の値のビットシフトで実現することが可能である。この場合、１／２倍の時は1ビットシフト、１／４倍の時は２ビットシフトをすればよい。さらにはこの様な特徴を活かすため、オフセット値を正確に反映する代わりに、１／２のべき乗倍になるように近似的に実施することも可能である。
【００３６】
オフセット付加回路１−６、２−６、３−６の各出力信号は、加算器４で加算され、タイミング検出回路５に出力される。タイミング検出回路５では、加算器４の出力信号に基づいてシンボルタイミングを検出し、該検出信号とともに、加算器の出力信号をＦＦＴ処理部６に出力する。
ＦＦＴ処理部６は、タイミング検出回路５により検出されたシンボルタイミングに基づいて加算器4の出力信号のＦＦＴ演算処理を行う。
また、図示してない復調回路では、ＦＦＴ処理部６の演算出力に基づいてシンボル毎の復調処理を行う。
【００３７】
本発明の第２実施形態に係る無線通信システムによれば、複数の受信系統のうち受信アンテナからＡ／Ｄ変換回路に至る系を複数系統設け、該複数系統の出力を合成してベースバンド部を共用するように構成するとともに、Ａ／Ｄ変換後のディジタル信号に対して、ＡＧＣによる利得をフィードバックし、ＡＧＣによる利得量に相当するオフセットをＡ／Ｄ変換後のディジタル信号の値に付加するようにしたので、各受信系統毎のSN比特性の影響を受けず、システムとしての受信利得を稼ぐことが可能となる。
【００３８】
次に、本発明の第３実施形態に係る無線通信システムの構成を図３に示す。本発明の第３実施形態に係る無線通信システムが、第２実施形態に係る無線通信システムと構成上、異なるのは、各受信系統におけるオフセット付加回路１−６、２−６、３−６の出力に異なる遅延量を付加した後にこれらの出力を加算器４で加算するようにした点、その他の構成は同一であるので、重複する説明は省略する。
すなわち、具体的には、オフセット付加回路１−６の出力信号は遅延させずに、そのまま加算器４に入力し、オフセット付加回路２−６の出力信号を、遅延量Ｄ１を付加する遅延Ｄ１付加回路２−４を介して加算器４に入力し、かつオフセット付加回路３−６の出力信号を、遅延量Ｄ１と値が異なる遅延量Ｄ２を付加する遅延Ｄ２付加回路３−４を介して加算器４に入力するようにしている。
【００３９】
上記構成において、無線部１−２、２−２、３−２は各受信アンテナ１−１、２−１、３−１より受信した信号について個別に受信処理を行い、その出力信号を自動利得制御（ＡＧＣ）回路１−５、２−５、３−５に出力する。
自動利得制御（ＡＧＣ）回路１−５、２−５、３−５では、無線部１−２、２−２、３−２からの出力信号に対し信号強度が所定の範囲になるように利得の調整を行い、その出力を各受信系統において対応するＡ／Ｄ変換回路１−３、２−３、３−３にそれぞれ、出力するとともに、自動利得制御における利得を示すデータを対応するオフセット付加回路１−６、２−６、３−６に出力する。
【００４０】
Ａ／Ｄ変換回路１−３、２−３、３−３では、それぞれ、各受信系統毎に無線部１−２、２−２、３−２から入力された受信信号であるアナログ信号をディジタル信号に変換し、その出力を対応するオフセット付加回路１−６、２−６、３−６に出力する。
オフセット付加回路１−６、２−６、３−６では、それぞれ、対応する各自動利得制御回路１−５、２−５、３−５から利得データを受け取り、利得制御を行う利得量に相当する量を相殺するオフセットを付加する。
【００４１】
この結果、各オフセット付加回路１−６、２−６、３−６からは、見かけ上、各受信系統におけるノイズ量は、各自動利得制御回路１−５、２−５、３−５の各利得の影響を受けない状態で出力されることとなる。
オフセット付加回路１−６、２−６、３−６の各出力信号のうち、オフセット付加回路１−６の出力信号は、そのまま加算器４に入力され、オフセット付加回路２−６の出力信号は、遅延Ｄ１付加回路２−４を介して遅延量Ｄ１が付加された状態で加算器４に入力される。さらに、オフセット付加回路３−６の出力信号は、遅延Ｄ２付加回路３−４を介して遅延量Ｄ２が付加された状態で加算器４に入力される。
【００４２】
オフセット付加回路１−６、遅延Ｄ１付加回路２−４、遅延Ｄ２付加回路３−４の出力信号は加算器４で加算され、タイミング検出回路５に出力される。タイミング検出回路５では、加算器４の出力信号に基づいてシンボルタイミングを検出し、該検出信号とともに、加算器の出力信号をＦＦＴ処理部６に出力する。
ＦＦＴ処理部６は、タイミング検出回路５により検出されたシンボルタイミングに基づいて加算器4の出力信号のＦＦＴ演算処理を行う。
また、図示してない復調回路では、ＦＦＴ処理部６の演算出力に基づいてシンボル毎の復調処理を行う。
【００４３】
本発明の第３実施形態に係る無線通信システムによれば、複数の受信系統のうち受信アンテナからＡ／Ｄ変換回路に至る系を複数系統設け、該複数系統の出力を合成してベースバンド部を共用するように構成するとともに、Ａ／Ｄ変換回路出力に異なる遅延量を付加し、かつＡ／Ｄ変換後のディジタル信号に対して、ＡＧＣによる利得をフィードバックし、ＡＧＣによる利得量に相当するオフセットをＡ／Ｄ変換後のディジタル信号の値に付加するようにしたので、システム全体として複数の受信系統から受信した信号を合成する際に、同一信号で位相が互いに逆転した信号を合成するリスクを低減し、効率的に信号を合成することができ、かつ複数の受信系統でSN比特性にばらつきがある場合でも、良好なSN比特性を示す受信系統の特性を最大限に活かしてシステムとしての受信利得を稼ぐことが可能となる。
【００４４】
次に、本発明の第４実施形態に係る無線通信システムの構成を図４に示す。本発明の第４実施形態に係る無線通信システムは、第３実施形態に係る無線通信システムをＭＩＭＯ通信の受信装置の各受信系統に適用できるように構成したものである。
図４において、本発明の第４実施形態に係る無線通信システムは、複数（２つの）の各受信系統（本実施形態では説明の便宜上、１例として、２系統とする。）について、それぞれ、受信アンテナからオフセット付加回路または遅延Ｄ付加回路までを複数系統により構成するようにしている。
【００４５】
すなわち、本発明の第４実施形態に係る無線通信システムは、受信アンテナ１０−１、無線部１０−２、自動利得制御（ＡＧＣ）回路１０−３、Ａ／Ｄ変換回路１０−４、オフセット付加回路１０−５からなる系、受信アンテナ２０−１、無線部２０−２、自動利得制御（ＡＧＣ）回路２０−３、Ａ／Ｄ変換回路２０−４、オフセット付加回路２０−５、遅延Ｄ付加回路２０−６からなる系、加算回路５０、タイミング検出回路５１及びＦＦＴ処理部５２からなる第１の受信系統と、受信アンテナ３０−１、無線部３０−２、自動利得制御（ＡＧＣ）回路３０−３、Ａ／Ｄ変換回路３０−４、オフセット付加回路３０−５からなる系、受信アンテナ４０−１、無線部４０−２、自動利得制御（ＡＧＣ）回路４０−３、Ａ／Ｄ変換回路４０−４、オフセット付加回路４０−５、遅延Ｄ付加回路４０−６からなる系、加算回路６０、タイミング検出回路６１及びＦＦＴ処理部６２からなる第２の受信系統と、タイミング判定回路７０とを有している。
【００４６】
上記構成において、第１の受信系統において、受信アンテナ１０−１、２０−１を介して受信された各受信信号がそれぞれ、自動利得制御（ＡＧＣ）回路１０−３、２０−３により復調に要する所定のレベルとなるように利得調整され、その利得を示すデータがオフセット付加回路１０−５、２０−５に出力される。自動利得制御（ＡＧＣ）回路１０−３、２０−３の出力は、それぞれＡ／Ｄ変換回路１０−４、２０−４によりディジタル信号に変換され、オフセット付加回路１０−５、２０−５に入力される。
【００４７】
オフセット付加回路１０−５、２０−５では、それぞれ、対応する各自動利得制御回路１０−３、２０−３から利得データを受け取り、利得制御を行う利得量に相当する量を相殺するオフセットを入力信号に付加する。
この結果、各オフセット付加回路１０−５、２０−５の出力側からは、見かけ上、各受信系統におけるノイズ量は、各自動利得制御回路１０−３、２０−３の利得の影響を受けない状態で出力されることとなる。
オフセット付加回路１０−５の出力信号は、そのまま加算器５０に入力され、オフセット付加回路２０−５の出力信号は、遅延Ｄ付加回路２０−６を介して遅延量Ｄが付加された状態で加算器５０に入力される。
【００４８】
オフセット付加回路１０−５、遅延Ｄ付加回路２０−６の出力信号は加算器５０で加算され、タイミング検出回路５１に出力される。
この結果、複数の系統から受信した信号を合成する際に、同一信号で位相が互いに逆転した信号を合成するリスクを低減し、効率的に信号を合成することができ、かつ複数の受信系統でSN比特性にばらつきがある場合でも、良好なSN比特性を示す受信系統の特性を最大限に活かしてシステムとしての受信利得を稼ぐことが可能となる。
【００４９】
一方、第２の受信系統についても同様にして、受信アンテナ３０−１、４０−１を介して受信した受信信号は、自動利得制御（ＡＧＣ）による利得量だけオフセット付加回路３０−５、４０−５にオフセットが付加され、オフセット付加回路３０−５の出力信号は、そのまま加算器６０に入力され、オフセット付加回路４０−５の出力信号は、遅延Ｄ付加回路４０−６により遅延量Ｄが付加された状態で加算器６０に入力される。
オフセット付加回路３０−５、遅延Ｄ付加回路４０−６の出力信号は加算器６０で加算され、タイミング検出回路６１に出力される。
【００５０】
タイミング検出回路５１では、加算器５０の出力信号に基づいてシンボルタイミングを検出し、該検出信号をタイミング判定回路７０に出力するとともに、加算器の出力信号をＦＦＴ処理部５２に出力する。
同様に、タイミング検出回路６１では、加算器６０の出力信号に基づいてシンボルタイミングを検出し、該検出信号をタイミング判定回路７０に出力するとともに、加算器６０の出力信号をＦＦＴ処理部６２に出力する。
【００５１】
タイミング判定回路７０は、タイミング検出回路５１、６１により検出されたシンボルタイミングを合成し、全体としてのシンボルタイミングを決定し、該決定したシンボルタイミングをＦＦＴ処理部５２、６２に出力する。ここでシンボルタイミングの合成とは、例えばタイミング検出回路５１、６１のうち早い検出タイミングを選択したり、遅い方を選択したり、検出タイミングを平均化したりすることを意味する。
【００５２】
ＦＦＴ処理部５２は、タイミング判定回路７０により決定されたシンボルタイミングに基づいて加算器５０の出力信号のＦＦＴ演算処理を行う。
また、ＦＦＴ処理部６２は、タイミング判定回路７０により決定されたシンボルタイミングに基づいて加算器６０の出力信号のＦＦＴ演算処理を行う。
また、図示してない復調回路＃１では、ＦＦＴ処理部５２の演算出力に基づいてシンボル毎の復調処理を行う。
同様に、図示してない復調回路＃２では、ＦＦＴ処理部６２の演算出力に基づいてシンボル毎の復調処理を行う。
【００５３】
本発明の第４実施形態に係る無線通信システムによれば、複数の受信系統のうち受信アンテナからＡ／Ｄ変換回路に至る系を複数系統設け、該複数系統の出力を合成してベースバンド部を共用するように構成するとともに、Ａ／Ｄ変換回路出力に異なる遅延量を付加し、かつＡ／Ｄ変換後のディジタル信号に対して、ＡＧＣによる利得をフィードバックし、ＡＧＣによる利得量に相当するオフセットをＡ／Ｄ変換後のディジタル信号の値に付加する構成を複数系統用意することにより、ＭＩＭＯ通信における無線受信装置の各受信系統に適用することが可能となる。
【００５４】
なお、上記各実施形態において、ＯＦＤＭ変調方式の適用時以外の場合にはＦＦＴ処理部は構成上、不要である。
また、ここでのＭＩＭＯ通信とは、前述の様にＳＤＭ技術として伝送速度を高速化するためにも利用の他に、ＳＴＢＣ技術との併用により、ホットスポットサービスにおけるひとつの基地局がカバーするサービスエリアを拡大するために利用することが可能である。
【図面の簡単な説明】
【００５５】
【図１】本発明の第１実施形態に係る無線通信システムの構成を示すブロック図。
【図２】本発明の第２実施形態に係る無線通信システムの構成を示すブロック図。
【図３】本発明の第３実施形態に係る無線通信システムの構成を示すブロック図。
【図４】本発明の第４実施形態に係る無線通信システムの構成を示すブロック図。
【符号の説明】
【００５６】
１−１、２−１、３−１、１０−１、２０−１、３０−１、４０−１…受信アンテナ、１−１、２−２、３−２，１０−２、２０−２、３０−２、４０−２…無線部、１−３、２−３、３−３、１０−４、２０−４、３０−４、４０−４…Ａ／Ｄ変換回路、１−５、２−５、３−５１０−３、２０−３、３０−３、４０−３…自動利得制御（ＡＧＣ）回路、１−６、２−６、３−６、１０−５、２０−５、３０−５、４０−５…オフセット付加回路、２−４…遅延Ｄ１付加回路、３−４…遅延Ｄ２付加回路、４、５０、６０…加算器、５、５１、６１…タイミング検出回路、６、５２、６２…ＦＦＴ処理部、２０−６、４０−６…遅延Ｄ付加回路、７０…タイミング判定回路、
【図１】
2006352576.tif 000003
【図２】
2006352576.tif 000004
【図３】
2006352576.tif 000005
【図４】
2006352576.tif 000006